(57)【要約】【課題】構造が簡単で片手で容器本体を正立傾注するだけの簡単な操作で必要な液量を正確に計量して注出することができ、かつ、計量時に必要量以上の液体を計量してしまった場合にも余分な液体を容器本体内に戻すことが可能な液体計量注出容器を提供する。【解決手段】前記容器本体１０をその幅方向左側（一方側）を下側にして傾けたときには、ボール体１６ａが左側に移動して前記連通孔１４ａが開いた状態になり、前記連通孔１４ａを介して容器本体１０内の液体を液体計量貯留部１２の内部空間１２ａに流す。一方、前記容器本体１０をその幅方向右側（他方側）を下側にして傾けると、前記ボール体１６ａによって前記連通孔１４ａが閉じた状態になり、前記液体計量貯留部１２の内部空間１２ａの液体を前記注出口１８から外部に流し出せる。【選択図】図１
2010215250.tif 000002
【特許請求の範囲】
【請求項１】
液体を収容する容器本体と、前記容器本体の軸方向先方に位置して容器本体から流出した液体を内部空間に貯留する液体計量貯留部と、前記容器本体内および液体計量貯留部の内部空間同士を連通する連通孔が形成された管路部と、前記管路部の連通孔をボール体の移動によって開閉するボール弁部と、前記液体計量貯留部の注出口を開閉するキャップとを有してなり、
前記ボール弁部は、前記容器本体の幅方向の一方側および他方側にボール体を移動可能にガイドするようにし、
前記管路部は、前記ボール体が前記他方側端に位置したときに前記管路部の連通孔を閉ざすように前記ボール弁部を配設し、かつ、前記ボール弁部配設位置から前記軸方向先方に向けて前記管路部を延設したものであり、
前記液体計量貯留部は、その内部空間に前記管路部の延設部分を収容して、前記延設部分の連通孔開口から流出した液体を該内部空間に貯留する筐体構造を有し、その筐体構造の前記他方側端に前記内部空間に貯留した液体を外部に注出するための注出口を開口形成しており、
前記容器本体を前記一方側を下側にして傾けたときには、ボール体が前記一方側に移動して前記連通孔が開いた状態になり、前記連通孔を介して容器本体内の液体を液体計量貯留部の内部空間に流して該液体を計量可能にし、
一方、前記容器本体を前記他方側を下側にして傾けたときに、前記ボール体が連通孔に嵌り込んで前記連通孔が閉じた状態になり、前記容器本体内の液体が前記液体計量貯留部の内部空間に流れ込まないようにし、かつ、前記液体計量貯留部の内部空間の液体を前記注出口から外部に流し出すようにしたことを特徴とする液体計量注出容器。
【請求項２】
前記ボール弁部および前記管路部は、前記液体計量貯留部に一体的に構成され、前記液体計量貯留部と容器本体とが着脱可能に嵌合されたことを特徴とする請求項１に記載の液体計量注出容器。
【請求項３】
前記管路部の前記ボール弁部から延設する長さは、液体計量貯留部で計量する液体の量に対応した長さに形成されていることを特徴とする請求項１または２に記載の液体計量注出容器。
【発明の詳細な説明】
【技術分野】
【０００１】
本発明は液体計量注出容器に関する。
【背景技術】
【０００２】
従来、内容物である液体を計量・注出する代表的な容器として、容器本体（ボトル）に液体を流出するノズルを有するノズルキャップと、計量キャップからなる液体計量注出容器がある（例えば、特許第４０９０５２５号公報：特許文献１参照）。
【０００３】
この種の液体注出容器では、内容液を必要な量だけ計量するために、容器本体を傾注してノズルキャップのノズルから内容液を注ぎだして、これを計量キャップ内に受け止めて、注ぎ込まれる液面を目視しながら計量キャップの目盛りに合わせて必要量を計量するという操作が必要である。
【０００４】
したがって、従来の液体注出容器においては、片手で容器本体を持ち、もう一方の手で計量キャップを持って計量・注出操作を行うため、両手での動作が必要であり、また、計量キャップに液を注ぐときに手元が狂うと液をこぼして容器や周囲を汚してしまうという不具合があり、操作に神経を使う等の問題があった。
【０００５】
これに対して、弾性変形可能な容器本体と、内容液を吸い上げるディップチューブと、吸い上げられた液を計量・貯留する液体計量貯留部および液注出口を有するキャップとからなる液体計量注出容器が提案されている（例えば、特公平１−２０２９５号公報：特許文献２参照）。この容器では、内容液を必要な量だけ計量するためには、容器本体を押し込んで弾性変形させることにより、内容液をディップチューブを通して押し上げて、キャップの液体計量貯留部に注ぎ込ませる。
【０００６】
そして、液体計量貯留部に注ぎ込まれる液面を目視しながらキャップに記された目盛りに合わせて必要量を計量する。必要な量が計量されたら容器本体を押し込む動作をやめ、容器本体を傾注してキャップの液体計量貯留部に計量された液を注ぎ出す。
【０００７】
したがって、一連の操作は片手だけで可能であり、また、液の計量は容器内で行われるため液をこぼして周囲を汚すといった心配がない。
【０００８】
しかしながら、容器本体を押し込んで弾性変形させる必要があるため、高齢者や握力の弱い女性では力を入れ難く使い難いといった問題があり、また、液体計量貯留部に液を計量するときに、液を出しすぎてしまうと、容器本体に液を戻すことが出来ない等の不具合があった。
【０００９】
なお、液体計量注出容器に関して、実公平５−１１１７７号公報（：特許文献３）では、容器体と容器体底部まで吸い上げポンプを垂下する液体計量筒体とピストン付キャップからなる液体計量容器が開示されている。この液体計量容器では、口元部に吸い上げポンプを具備しているので、構成が複雑になり、キャップを回転させて開栓することによって吸い上げポンプを作動させているので液体の粘性によっては開栓操作が重くなる問題がある。
【００１０】
また、実開平２−１７６２７号公報（：特許文献４）では、粉粒体を収容する容器で、容器内に一回の排出量を予め調整する第一室と、第一室の計量粉粒体を受け入れた後に、排出する第二室を設け、第一室と第二室との間に自重により転動する球体からなる開閉弁を設けた計量容器が開示されている。しかしながら、この公報開示の計量容器は、粉粒体用であって、液体に用いると第一室から第二室に液体が抜けてしまい液体用の計量容器に用いることができない。
【００１１】
また、特開平９−１４２５１４号公報（：特許文献５）では、ボール（ボール弁）落下式の計量容器であって、ボール弁がほぼ一定の速度で落下する間に液体がほぼ一定量排出されるようにしたものが開示されている。しかしながら、この公報開示の計量容器では、液状物の表面張力やエア導入孔の設定やボールの比重等が影響して注出量の設定が難しいという問題がある。
【先行技術文献】
【特許文献】
【００１２】
【特許文献１】特許第４０９０５２５号公報
【特許文献２】特公平１−２０２９５号公報
【特許文献３】実公平５−１１１７７号公報
【特許文献４】実開平２−１７６２７号公報
【特許文献５】特開平９−１４２５１４号公報
【発明の概要】
【発明が解決しようとする課題】
【００１３】
本発明は、上記従来の実情に鑑み、構造が簡単で片手で容器本体を正立傾注するだけの簡単な操作で必要な液量を正確に計量して注出することができ、かつ、計量時に必要量以上の液体を計量してしまった場合にも余分な液体を容器本体内に戻すことが可能な液体計量注出容器を提供しようとするものである。
【課題を解決するための手段】
【００１４】
本発明は液体計量注出容器に係り、液体を収容する容器本体と、前記容器本体の軸方向先方に位置して容器本体から流出した液体を内部空間に貯留する液体計量貯留部と、前記容器本体内および液体計量貯留部の内部空間同士を連通する連通孔が形成された管路部と、前記管路部の連通孔をボール体の移動によって開閉するボール弁部と、前記液体計量貯留部の注出口を開閉するキャップとを有してなり、
前記ボール弁部は、前記容器本体の幅方向の一方側および他方側にボール体を移動可能にガイドするようにし、
前記管路部は、前記ボール体が前記他方側端に位置したときに前記管路部の連通孔を閉ざすように前記ボール弁部を配設し、かつ、前記ボール弁部配設位置から前記軸方向先方に向けて前記管路部を延設したものであり、
前記液体計量貯留部は、その内部空間に前記管路部の延設部分を収容して、前記延設部分の連通孔開口から流出した液体を該内部空間に貯留する筐体構造を有し、その筐体構造の前記他方側端に前記内部空間に貯留した液体を外部に注出するための注出口を開口形成しており、
前記容器本体を前記一方側を下側にして傾けたときには、ボール体が前記一方側に移動して前記連通孔が開いた状態になり、前記連通孔を介して容器本体内の液体を液体計量貯留部の内部空間に流して該液体を計量可能にし、
一方、前記容器本体を前記他方側を下側にして傾けたときに、前記ボール体が連通孔に嵌り込んで前記連通孔が閉じた状態になり、前記容器本体内の液体が前記液体計量貯留部の内部空間に流れ込まないようにし、かつ、前記液体計量貯留部の内部空間の液体を前記注出口から外部に流し出すようにしたことを特徴とする液体計量注出容器である。
【００１５】
本発明においては、前記ボール弁部および前記管路部は、前記液体計量貯留部に一体的に構成され、前記液体計量貯留部と容器本体とが着脱可能に嵌合されたことが好適である。
【００１６】
また、本発明においては、前記管路部の前記ボール弁部から延設する長さは、液体計量貯留部で計量する液体の量に対応した長さに形成されていることが好適である。
【発明の効果】
【００１７】
本発明の液体計量注出容器においては、容器本体を前記一方側を下側にして傾けたときには、ボール体が前記一方側に移動して前記連通孔が開いた状態になり、前記連通孔を介して容器本体内の液体を液体計量貯留部の内部空間に流して該液体を計量可能にし、一方、前記容器本体を前記他方側を下側にして傾けたときに、前記ボール体が連通孔に嵌り込んで前記連通孔が閉じた状態になり、前記容器本体内の液体が前記液体計量貯留部の内部空間に流れ込まないようにし、かつ、前記液体計量貯留部の内部空間の液体を前記注出口から外部に流し出すようにしたので、容器本体にボール弁部および液体計量貯留部を設けるだけで、簡単な構成で液体計量注出容器を形成できる。
【００１８】
また、容器本体を他方側に下側にして傾けて計量し、逆の一方側を下にして傾けて注出口から流し出しかつ容器本体内に戻らないようにでき、容器の向きを変えて傾注するだけで、ボール弁を開閉することが可能になるので、計量・注出が片手操作だけで簡単にできる。また、容器本体の向きを傾けることでボール弁の開閉が可能なので、液体計量貯留部に液体を注ぎすぎても容器本体内に戻すことができる。この場合、液体計量貯留部を透明または半透明にしたり、目盛りを設けたりすることによって、計量の精度を上げることができる。
【００１９】
なお、前記ボール弁部および前記管路部を、前記液体計量貯留部に一体的に構成し、前記液体計量貯留部と容器本体とが着脱可能に嵌合するものにすれば、液体計量貯留部と容器本体を別体に構成し、嵌合して簡単に組付けることができる。また、容器本体に液体を収容するのに前記液体計量貯留部を容器本体から簡単に外して液体を容器本体内に注ぎ込むことができる。
【００２０】
また、前記管路部の前記ボール弁部から延設する長さを、液体計量貯留部で計量する液体の量に対応した長さに形成することによって、目盛りを参照することなく正確に設定量の液体を計量することができる等の優れた効果を奏し得る。
【図面の簡単な説明】
【００２１】
【図１】本発明の実施形態に係る液体計量注出容器の縦断面図である。
【図２】図１の液体計量注出容器の使用状態説明図であって、（ａ）は容器本体の幅方向左側（他方側）を下にして傾けたときの状態図、（ｂ）は容器本体を正立させたときの状態図、（ｃ）は容器本体の幅方向右側（一方側）を下にして傾けた状態説明図である。
【図３】変形例に係る液体計量注出容器の分解状態の縦断面図である。
【発明を実施するための形態】
【００２２】
以下、本発明の実施形態について、添付図面を参照して説明する。
【００２３】
図１〜図２は、実施形態に係る液体計量注出容器の説明図である。
【００２４】
図１に示すように、実施形態に係る液体計量注出容器は、液体を収容する容器本体１０と、前記容器本体１０の軸方向先方に位置して容器本体１０から流出した液体を内部空間１２ａに貯留する液体計量貯留部１２と、前記容器本体１０内および液体計量貯留部１２の内部空間１２ａ同士を連通する連通孔１４ａが形成された管路部１４と、前記管路部１４の連通孔１４ａをボール体１６ａの移動によって開閉するボール弁部１６と、前記液体計量貯留部１２の注出口１８を開閉するキャップ２０とを有してなるものである。
【００２５】
前記ボール弁部１６は、前記容器本体１０の幅方向の左側（一方側）および右側（他方側）にボール体１６ａを移動可能にガイドするようにボール体１６ａを内包して前記幅方向に沿った概略筒型形状に構成されている。図示しないが液体計量貯留部１２の底面部がボール弁部１６の外壁に一体または液密に形成されている。もちろん液体計量貯留部１２内にボール弁部１６を収容した構成としてもよい。
【００２６】
前記管路部１４は、前記ボール体１６ａが前記他方側端に位置したときに前記管路部１４の連通孔１４ａの開口１４ａ１に嵌り込んで該連通孔１４ａを閉ざす位置になるように前記ボール弁部１６を配設し、かつ、前記ボール弁部１６配設位置から前記軸方向先方に向けて前記管路部１４を延設したものである。
【００２７】
前記液体計量貯留部１２は、その内部空間１２ａに前記管路部１４の延設部分を収容して、前記延設部分の連通孔開口１４ａ２から流出した液体を該内部空間１２ａに貯留する筐体構造を有し、その筐体構造の前記他方側端に前記内部空間１２ａに貯留した液体を外部に注出するための注出口１８を開口形成している。
【００２８】
前記液体計量注出容器は、図２（ａ）に示すように、前記容器本体１０をその幅方向左側を下側にして傾けたときには、ボール体１６ａが前記左側に移動して前記連通孔１４ａが開いた状態になり、前記連通孔１４ａを介して容器本体１０内の液体を液体計量貯留部１２の内部空間１２ａに流すことができる。内部空間１２ａに流す液体の量を目盛り等参照して調整することにより、所望量液体を液体計量貯留部１２の内部空間１２ａに流すことができる。
【００２９】
そして、図２（ｂ）に示すように、容器本体１０は下端の閉鎖された筒体であって、その軸方向が上下方向に向くように正立させることによって、液体計量貯留部１２の内部空間１２ａに必要量の液体を貯めることができる。必要量以上の液体は管路部１４の連通孔１４ａにその開口１４ａ２から流れ込んで容器本体１０内に戻るので、管路部１４の高さ以上に液体計量貯留部１２内に液体が残ることはなく、すなわち容易かつ正確な計量を可能にする。
【００３０】
一方、図２（ｃ）に示すように、前記容器本体１０をその幅方向右側を下側にして傾けたときに、前記ボール体１６ａが連通孔１４ａの開口１４ａ１に嵌り込んで前記連通孔１４ａが閉じた状態になるので、前記容器本体１０内の液体が前記液体計量貯留部１２の内部空間１２ａに流れ込まないようになり、かつ、前記液体計量貯留部１２の内部空間１２ａの液体を前記注出口１８から外部に流し出せるようになっている。
【００３１】
前記ボール弁部１６および前記管路部１４は、前記液体計量貯留部１２に一体的に構成され、前記液体計量貯留部１２と容器本体１０とが着脱可能に嵌合されている。この嵌合は、前記液体計量貯留部１２と容器本体１０の嵌合面同士に凹凸を形成して抜け止めかつシールをし、または、雄ネジと雌ネジを形成した螺合し、突き合せ面にシールをし、または、接着剤によって接合しシールをすることが適宜に選択してできる。
【００３２】
また、前記管路部１４の前記ボール弁部１６から延設する長さは、液体計量貯留部１２で計量する液体の量に対応した長さに形成することで一定量の液体を毎回注出することが出来極めて利便性が高い。
【００３３】
なお、前記容器本体１０、ボール弁部１６、管路部１４は材質をＰＰ（ポリプロピレン、ＰＥ（ポリエチレン）、ＰＥＴ（ポリエチレンテレフタレート）、ポリエステルなどを単独または混合した樹脂で形成することができる。
【００３４】
ボール体１６ａはＳＵＳ、樹脂製等適切な材質を選定できる。
【００３５】
実施形態の液体計量注出容器においては、容器本体１０をその幅方向左側（一方側）を下側にして傾けると、前記連通孔１４ａが開いた状態になり、前記連通孔１４ａを介して容器本体１０内の液体を液体計量貯留部１２の内部空間１２ａに流して該液体を計量可能になる。一方、前記容器本体１０をその幅方向右側（他方側）を下側にして傾けると、前記ボール体１６ａによって前記連通孔１４ａが閉じた状態になり、前記容器本体１０内の液体が前記液体計量貯留部１２の内部空間１２ａに流れ込まないようにし、かつ、前記液体計量貯留部１２の内部空間１２ａの液体を前記注出口１８から外部に流し出すようにできるので、容器本体１０にボール弁部１６および液体計量貯留部１２を設けるだけで、簡単な構成で液体計量注出容器を形成できる。
【００３６】
また、容器本体１０をその左側を下側にして傾けて計量し、逆の右側を下にして傾けて注出口１８から流しだしかつ容器本体１０内に戻らないようにできるというように、容器の向きを変えて傾注するだけで、ボール弁を開閉することが可能になるので、計量・注出が片手操作だけで簡単にできる。
【００３７】
また、容器本体１０の向きを傾注することでボール弁の開閉が可能なので、液体計量貯留部１２に液体を注ぎすぎても容器本体１０内に戻すことができる。この場合、液体計量貯留部１２を透明または半透明にしたり、目盛りを設けたりすることによって、計量の精度を上げることができる。
【００３８】
なお、前記ボール弁部１６および前記管路部１４を、前記液体計量貯留部１２に一体的に構成し、前記液体計量貯留部１２と容器本体１０とが着脱可能に嵌合するものにすれば、液体計量貯留部１２と容器本体１０を別体に構成し、嵌合して簡単に組付けることができる。また、容器本体１０に液体を収容するのに前記液体計量貯留部１２を容器本体１０から簡単に外して液体を容器本体１０内に注ぎ込むことができる。
【００３９】
また、前記管路部１４の前記ボール弁部１６から延設する長さを、液体計量貯留部１２で計量する液体の量に対応した長さに形成することによって、目盛りを参照することなく正確に設定量の液体を計量することができる等の優れた効果を奏し得る。
【００４０】
なお、上記実施形態では、ボール弁部１６を液体計量貯留部１２に一体化して、その液体計量貯留部１２を容器本体１０から着脱可能にしているが、本発明はこの実施形態に限定されない。例えば、図３に示す変形例のように、ボール弁部１６を液体計量貯留部１２と着脱可能にして、ボール弁部１６を液体計量貯留部１２に組付けてから、容器本体１０の口元に嵌合して取付ける構成にできる。この変形例では、ボール弁部１６を別体に構成したので、ボール弁部１６が故障しても底を外して修理したり、ボール弁部１６自体を交換したりできるのでメンテナンス性が高い。また、ボール弁部１６を液体計量貯留部１２に対して着脱を容易にできるので、管路部１４の長さの異なる（連通孔１４ａ上方の開口１４ａ１位置の異なる）ボール弁部１６を複数準備しておけば、必要な液体貯留量に対応する管路部１４の長さのボール弁部１６を選択して取付けることによって、容易に液体計量貯留部１２の液体貯留量を設定できる。
【００４１】
したがって、液体計量貯留部１２で計量すべき液体の量が変化したときに柔軟に対応でき、使い勝手がよい。
【符号の説明】
【００４２】
１０  容器本体
１２  液体計量貯留部
１２ａ  内部空間
１４  管路部
１４ａ  連通孔
１４ａ１  連通孔のボール弁側の開口
１４ａ２  連通孔の液体計量貯留部側の開口
１６  ボール弁部
１６ａ  ボール体
１８  注出口
２０  キャップ
【図１】
2010215250.tif 000003
【図２】
2010215250.tif 000004
【図３】
2010215250.tif 000005